(57)【要約】【課題】帯状の研磨体を有効に利用して遊技媒体を研磨するとともに研磨体の配置がずれるのを抑制できる遊技機を提供する。【解決手段】パチンコ遊技機には、遊技に用いられる遊技球の流通経路に、研磨布を当接させて遊技球を研磨する研磨機構が配設される。研磨布は、研磨カセットの裏面に掛け渡され、巻取部６５によって巻き取られて研磨カセットの内部に収容される。研磨機構における遊技球の移送経路のうち、遊技球が研磨布と当接する部分は、研磨布の巻取方向に対して傾けて形成される。巻取部６５の２つのローラ６６Ａ、６６Ｂは、互いに平行に軸支される回転軸６７Ａ、６７Ｂに、平歯車状の複数の歯車部材６８が軸方向に間隔をあけて配置され、研磨布を介して噛み合うように構成される。【選択図】図１３
2018164798.tif 000002
【特許請求の範囲】
【請求項１】
遊技に用いられる遊技媒体を帯状の研磨体により研磨する研磨手段を有する遊技機であって、
前記研磨手段は、
前記遊技媒体の移送経路の一部を構成し、該遊技媒体を露出させた状態で導くガイド部が形成されたガイド体と、
前記ガイド体に対向して配置され、前記研磨体が掛け渡される研磨体支持部と、
前記遊技媒体を前記ガイド部に沿って移送する移送手段と、
前記研磨体を巻き取る巻取手段と、
前記研磨体支持部が取り付けられるベースと、
を備え、
前記ガイド体は、前記ガイド部による前記遊技媒体のガイド方向が前記巻取手段による前記研磨体の巻取方向に対して傾けて形成されており、
前記巻取手段は、第１軸を回転軸とする第１歯車と、前記第１軸と平行な第２軸を回転軸とし、前記第１歯車と前記研磨体を介して噛み合う第２歯車とを有し、
前記第１歯車と前記第２歯車の少なくとも一方は、前記第１軸と前記第２軸の軸方向に複数の歯車部材が間隔をあけて配置されることにより構成され、
前記研磨体支持部は、当該研磨体支持部が前記ベースに取り付けられたときに、当該ベースに設けられたスイッチに当接する当接手段を備える、
ことを特徴とする遊技機。
【発明の詳細な説明】
【技術分野】
【０００１】
本発明は、パチンコ遊技機等の遊技機に関する。
【背景技術】
【０００２】
遊技機として、遊技球などの遊技媒体を発射装置によって遊技領域に発射し、遊技領域に設けられている入賞口などの入賞領域に遊技媒体が入賞すると、所定個の賞球といった景品遊技媒体が遊技者に払い出されるものがある。
【０００３】
こうした遊技機の遊技媒体には、遊技者が触れたり遊技機の内部を通過することに伴って汚れが付着する。この汚れは、遊技媒体の見た目を損なわせたり、遊技機での球詰まりなどの原因となる虞があるため、遊技機内の遊技媒体の移送経路に遊技媒体を研磨する研磨装置を備えるものが提案されている（例えば特許文献１参照）。特許文献１に記載の遊技機では、蛇行した案内路を移動する遊技媒体に、帯状の研磨材を押し当てて研磨するように構成されている。そして、研磨材の研磨機能を維持するため、必要に応じて繰り出し用リールと巻き取り用リールとを回転させて、遊技媒体に当接する研磨材の部分を変更している。
【先行技術文献】
【特許文献】
【０００４】
【特許文献１】特開２０００−１８５１６５号公報
【発明の概要】
【発明が解決しようとする課題】
【０００５】
特許文献１に記載の遊技機では、研磨体の配置がずれてしまう虞がある。
【０００６】
この発明は、研磨体の配置がずれるのを抑制できる遊技機を提供することを目的とする。
【課題を解決するための手段】
【０００７】
（１）  上記目的を達成するため、本発明に係る遊技機は、
遊技に用いられる遊技媒体（例えば遊技球など）を帯状の研磨体（例えば環状かつ帯状の研磨布Ａなど）により研磨する研磨手段を有する遊技機（例えばパチンコ遊技機１など）であって、
前記研磨手段は、
前記遊技媒体の移送経路の一部を構成し、該遊技媒体を露出させた状態で導くガイド部が形成されたガイド体（例えば、遊技球が研磨布Ａと当接する研磨通路を構成し、遊技球を露出させた状態で導く通路部材５０など）と、
前記ガイド体に対向して配置され、前記研磨体が掛け渡される研磨体支持部（例えば、通路部材５０と対向する位置に、脱着可能にベース４２に取り付けられて研磨布Ａが掛け渡される研磨カセット６０など）と、
前記遊技媒体を前記ガイド部に沿って移送する移送手段（例えば、研磨通路内で軸支されるスクリュー部材５３と、駆動源５４と、複数のギヤ５５Ａ〜５５Ｃを有する移送部５２など）と、
前記研磨体を巻き取る巻取手段（例えば、研磨カセット６０に取り付けられた巻取部６５など）と、
前記研磨体支持部が取り付けられるベース（例えば、ベース４２など）と、
を備え、
前記ガイド体は、前記ガイド部による前記遊技媒体のガイド方向が前記巻取手段による前記研磨体の巻取方向に対して傾けて形成されており（例えば、巻取部６５によって研磨布Ａが左から右に巻き取られ、研磨通路を構成する通路部材５０の部分が研磨布Ａの左右方向に対して傾けて形成されるなど）、
前記巻取手段は、第１軸を回転軸とする第１歯車と、前記第１軸と平行な第２軸を回転軸とし、前記第１歯車と前記研磨体を介して噛み合う第２歯車とを有し（例えば、巻取部６５が、互いに平行に軸支される回転軸６７Ａ、６７Ｂに複数の歯車部材６８が取り付けられた２つのローラ６６Ａ、６６Ｂを有するなど）、
前記第１歯車と前記第２歯車の少なくとも一方は、前記第１軸と前記第２軸の軸方向に複数の歯車部材が間隔をあけて配置されることにより構成され（例えば、２つのローラ６６Ａ、６６Ｂのそれぞれが軸方向に間隔をあけて複数の歯車部材６８が配置されて構成されるなど）、
前記研磨体支持部は、当該研磨体支持部が前記ベースに取り付けられたときに、当該ベースに設けられたスイッチ（例えば、スイッチ４２ｄなど）に当接する当接手段（例えば、当接板６０ｄなど）を備える、
ことを特徴とする。
【０００８】
このような構成によれば、第１歯車と第２歯車との少なくとも一方は、軸方向に複数の歯車部材が間隔を空けて配置されているので、研磨体の軸方向への移動が抑制され、研磨体の配置がずれるのを抑制できる。
【０００９】
（２）  上記（１）に記載の遊技機において、前記巻取手段は、前記第１歯車と前記第２歯車との隙間が前記研磨体の厚さより小さく形成されてもよい（例えば、巻取部６５の２つのローラ６６Ａ、６６Ｂの隙間が研磨布Ａの厚さよりも小さく配置されるなど）。
【００１０】
このような構成によれば、第１歯車と第２歯車とで研磨体を強く噛み込むことができ、研磨体の配置がずれるのをさらに抑制することができる。
【００１１】
（３）  上記（１）又は（２）に記載の遊技機において、前記移送手段は、螺旋状の凹凸が形成されたスクリュー部材を前記遊技媒体に当接させて回転させることにより該遊技媒体を移送し（例えば、移送部５２が、駆動源５４からの出力によって螺旋状の凹凸５３ａが形成されたスクリュー部材５３を回転させて遊技球を移送するなど）、前記ガイド部は、前記スクリュー部材の凹凸のピッチと異なるピッチで蛇行して形成されてもよい（例えば、通路部材５０が研磨通路の部分において、スクリュー部材５３の凹凸５３ａのピッチＰｓよりも、大きいピッチＰｇで蛇行して形成されるなど）。
【００１２】
このような構成によれば、ガイド部が蛇行して形成されているので、遊技媒体をより効率よく研磨することができる。また、遊技媒体を移送するスクリュー部材の凹凸のピッチと、ガイド部の蛇行のピッチとが異なるので、スクリュー部材の回転に伴って遊技媒体がガイド部に沿って移送されるときに、遊技媒体が蛇行することによって研磨体にかかる力を複数の遊技媒体ごとにずらすことができ、研磨体の配置がずれるのを抑制することができる。
【００１３】
（４）  上記（１）から（３）の何れか１つに記載の遊技機において、前記巻取手段には、板面が前記研磨体の巻取方向に沿ったガイド板が前記第１軸と前記第２軸との両端に配置されてもよい（例えば、巻取部６５の２つのローラ６６Ａ、６６Ｂが、直方体箱状の研磨カセット６０の左右側壁に軸支されて配置されるなど）。
【００１４】
このような構成によれば、巻取手段によって巻き取られる研磨体がガイド板によってガイドされるので、研磨体の配置がずれるのをさらに抑制することができる。
【００１５】
（５）  上記（１）から（４）の何れか１つに記載の遊技機において、前記研磨体支持部は、前記ガイド部に対向した前記研磨体の裏面を支持する面部を有し、該面部は、前記研磨体の巻取方向に対して垂直な方向への摩擦抵抗が大きく形成されてもよい（例えば、研磨カセット６０の裏面に、上下方向の摩擦抵抗よりも左右方向の摩擦抵抗が大きい塗料やブラシを付すなど）。
【００１６】
このような構成によれば、面部によって遊技媒体と研磨体の接触が確保され、面部は、研磨体の巻取方向に対して垂直な方向への摩擦抵抗が大きく形成されているので、研磨体の配置がずれるのをさらに抑制することができる。
【００１７】
（６）  上記（１）から（５）の何れか１つに記載の遊技機において、前記移送手段は、螺旋状の凹凸が形成されたスクリュー部材を前記遊技媒体に当接させて回転させることにより該遊技媒体を移送し（例えば、移送部５２が、駆動源５４からの出力によって螺旋状の凹凸５３ａが形成されたスクリュー部材５３を回転させて遊技球を移送するなど）、該螺旋状の凹凸は、前記遊技媒体に当接する凹凸部位が前記研磨体の巻取方向に対して垂直な方向に近づく向きに形成されてもよい（例えば、スクリュー部材５３の凹凸５３ａが、遊技球に当接する部分が上下方向に近づく向きに形成されるなど）。
【００１８】
このような構成によれば、遊技媒体に当接するスクリュー部材の凹凸部位が研磨体の巻取り方向に対して垂直な方向に近いので、遊技媒体をスムースに移動させて遊技媒体を研磨することができる。
【００１９】
（７）  上記（１）から（６）の何れか１つに記載の遊技機において、前記複数の歯車部材は、前記巻取手段による前記研磨体の巻取方向に対して、前記ガイド部による前記遊技媒体のガイド方向が傾いている方向に位置する歯車部材よりも逆側に位置する歯車部材が大きく形成されてもよい（例えば、巻取部６５によって研磨布Ａが左から右に巻き取られるとともに通路部材５０による研磨通路が右下から左上に傾いて形成され、２つのローラ６６Ａ、６６Ｂの複数の歯車部材６８が下側ほど大きく上側ほど小さく形成されるなど）。
【００２０】
このような構成によれば、ガイド部のガイド方向が傾いている方向と逆側の歯車部材によって研磨体が強く噛み込まれるので、遊技媒体の移動に伴って研磨体の配置がずれるのをさらに抑制することができる。
【００２１】
（８）  上記目的を達成するため、本発明に係る研磨装置は、
遊技に用いられる遊技媒体（例えば遊技球など）を帯状の研磨体（例えば環状かつ帯状の研磨布Ａなど）により研磨する研磨装置であって、
前記遊技媒体の移送経路の一部を構成し該遊技媒体を露出させた状態で導くガイド部が形成されたガイド体（例えば、遊技球が研磨布Ａと当接する研磨通路を構成し、遊技球を露出させた状態で導く通路部材５０など）に対向し、前記研磨体が掛け渡される研磨体支持部（例えば、通路部材５０と対向する位置に、脱着可能にベース４２に取り付けられて研磨布Ａが掛け渡される研磨カセット６０など）と、
遊技機（例えばパチンコ遊技機１など）に設けられ、前記研磨体支持部が取り付けられるベース（例えば、ベース４２など）と、
前記研磨体を巻き取る巻取手段（例えば、巻取部６５など）と、を備え、
前記巻取手段による前記研磨体の巻取方向は、前記ガイド部による前記遊技媒体のガイド方向に対して傾いており（例えば、巻取部６５によって研磨布Ａが左から右に巻き取られ、研磨通路を構成する通路部材５０の部分が研磨布Ａの左右方向に対して傾けて形成されるなど）、
前記巻取手段は、第１軸を回転軸とする第１歯車と、前記第１軸と平行な第２軸を回転軸とし、前記第１歯車と前記研磨体を介して噛み合う第２歯車とを有し（例えば、巻取部６５が、互いに平行に軸支される回転軸６７Ａ、６７Ｂに複数の歯車部材６８が取り付けられた２つのローラ６６Ａ、６６Ｂを有するなど）、
前記第１歯車と前記第２歯車の少なくとも一方は、前記第１軸と前記第２軸の軸方向に複数の歯車部材が間隔をあけて配置されることにより構成され（例えば、２つのローラ６６Ａ、６６Ｂのそれぞれが軸方向に間隔をあけて複数の歯車部材６８が配置されて構成されるなど）、
前記研磨体支持部は、当該研磨体支持部が前記ベースに取り付けられたときに、当該ベースに設けられたスイッチ（例えば、スイッチ４２ｄなど）に当接する当接手段（例えば、当接板６０ｄなど）を備える、
ことを特徴とする。
（９）  上記目的を達成するため、本発明に係る研磨カセットは、
遊技機（例えばパチンコ遊技機１など）に設けられたベース（例えば、ベース４２など）に取り付けられ、遊技に用いられる遊技媒体を帯状の研磨体（例えば環状かつ帯状の研磨布Ａなど）により研磨するための研磨カセット（例えば、研磨カセット６０など）であって、
前記研磨体を巻き取る巻取手段（例えば、巻取部６５など）を備え、
前記巻取手段は、第１軸を回転軸とする第１歯車と、前記第１軸と平行な第２軸を回転軸とし、前記第１歯車と前記研磨体を介して噛み合う第２歯車とを有し（例えば、巻取部６５が、互いに平行に軸支される回転軸６７Ａ、６７Ｂに複数の歯車部材６８が取り付けられた２つのローラ６６Ａ、６６Ｂを有するなど）、
前記第１歯車と前記第２歯車の少なくとも一方は、前記第１軸と前記第２軸の軸方向に複数の歯車部材が間隔をあけて配置されることにより構成され（例えば、２つのローラ６６Ａ、６６Ｂのそれぞれが軸方向に間隔をあけて複数の歯車部材６８が配置されて構成されるなど）、
前記研磨カセットが前記ベースに取り付けられたときに、当該ベースに設けられたスイッチ（例えば、スイッチ４２ｄなど）に当接する当接手段（例えば、当接板６０ｄなど）をさらに備える、
ことを特徴とする。
【００２２】
このような構成によれば、第１歯車と第２歯車との少なくとも一方は、軸方向に複数の歯車部材が間隔を空けて配置されているので、研磨体の軸方向への移動が抑制され、研磨体の配置がずれるのを抑制できる。
【図面の簡単な説明】
【００２３】
【図１】本発明の実施の形態におけるパチンコ遊技機の正面図である。
【図２】本発明の実施の形態におけるパチンコ遊技機の背面図である。
【図３】この実施の形態における研磨機構をパチンコ遊技機の裏面側から見た斜視図である。
【図４】この実施の形態における研磨機構をパチンコ遊技機の正面側から見た斜視図である。
【図５】研磨機構を一部分解してパチンコ遊技機の裏面側から見た斜視図である。
【図６】研磨機構を一部分解してパチンコ遊技機の正面側から見た斜視図である。
【図７】研磨カセットを取り外して研磨機構を示す図である。
【図８】ベースから通路部材を取り外して研磨機構を示す図である。
【図９】通路部材とスクリュー部材を示す図である
【図１０】（ａ）は、通路部材と移送部をパチンコ遊技機の正面側から示す図であり、（ｂ）は、研磨通路の断面を示す模式図である。
【図１１】研磨カセットと巻取部とカバー部材とを分解して示す図である。
【図１２】研磨カセットから第１部材を取り外して上方から見た図である。
【図１３】巻取部とカバー部材とを拡大して示す図である。
【図１４】巻取部を分解してカバー部材とともに示す図である。
【発明を実施するための形態】
【００２４】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００２５】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。
【００２６】
複数種類の特別図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００２７】
第１特別図柄表示装置４Ａと第２特別図柄表示装置４Ｂはともに、例えば方形状に形成されている。なお、第１特図の種類と第２特図の種類は同じ（例えば、ともに「０」〜「９」を示す数字、及び、「−」を示す記号）であってもよいし、種類が異なっていてもよい。また、第１特別図柄表示装置４Ａと第２特別図柄表示装置４Ｂはそれぞれ、例えば「００」〜「９９」を示す数字（あるいは２桁の記号）を可変表示するように構成されていてもよい。
【００２８】
遊技盤２における遊技領域の中央付近には、画像表示装置５が設けられている。画像表示装置５は、例えばＬＣＤ（液晶表示装置）等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。
【００２９】
一例として、画像表示装置５の表示領域には、「左」、「中」、「右」の飾り図柄表示エリア５Ｌ、５Ｃ、５Ｒが配置されている。そして、特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各飾り図柄表示エリア５Ｌ、５Ｃ、５Ｒにおいて飾り図柄の変動（例えば上下方向のスクロール表示）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。
【００３０】
このように、画像表示装置５の表示領域では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。
【００３１】
「左」、「中」、「右」の各飾り図柄表示エリア５Ｌ、５Ｃ、５Ｒにて可変表示される飾り図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。飾り図柄のそれぞれには、対応する図柄番号が付されている。例えば、「１」〜「８」を示す英数字それぞれに対して、「１」〜「８」の図柄番号が付されている。なお、飾り図柄は８種類に限定されず、大当り組合せやハズレとなる組合せなど適当な数の組合せを構成可能であれば、何種類であってもよい（例えば７種類や９種類など）。
【００３２】
飾り図柄の可変表示が開始された後、可変表示結果となる確定飾り図柄が導出表示されるまでには、「左」、「中」、「右」の各飾り図柄表示エリア５Ｌ、５Ｃ、５Ｒにおいて、例えば図柄番号が小さいものから大きいものへと順次に上方から下方へと流れるようなスクロール表示が行われ、図柄番号が最大（例えば「８」）である飾り図柄が表示されると、続いて図柄番号が最小（例えば「１」）である飾り図柄が表示される。あるいは、飾り図柄表示エリア５Ｌ、５Ｃ、５Ｒのうち少なくともいずれか１つ（例えば「左」の飾り図柄表示エリア５Ｌなど）において、図柄番号が大きいものから小さいものへとスクロール表示を行って、図柄番号が最小である飾り図柄が表示されると、続いて図柄番号が最大である飾り図柄が表示されるようにしてもよい。
【００３３】
画像表示装置５の表示領域には、始動入賞記憶表示エリア５Ｈが配置されている。始動入賞記憶表示エリア５Ｈでは、特図ゲームに対応した可変表示の保留数（特図保留記憶数）を特定可能に表示する保留記憶表示が行われる。ここで、特図ゲームに対応した可変表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。
【００３４】
図１に示す例では、始動入賞記憶表示エリア５Ｈとともに、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１特図保留記憶数は、第１特図を用いた特図ゲームの実行が保留されている記憶数である。第２特図保留記憶数は、第２特図を用いた特図ゲームの実行が保留されている記憶数である。第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００３５】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動領域（第２始動領域）第２始動入賞口を形成する。
【００３６】
一例として、普通可変入賞球装置６Ｂでは、普通電動役物用の図示しないソレノイドがオフ状態であるときに可動翼片が垂直位置となることにより、遊技球が第２始動入賞口を通過（進入）しがたい通常開放状態となる。その一方で、普通可変入賞球装置６Ｂでは、普通電動役物用の図示しないソレノイドがオン状態であるときに可動翼片が傾動位置となる傾動制御により、遊技球が第２始動入賞口を通過（進入）しやすい拡大開放状態となる。なお、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。このように、第２始動領域としての第２始動入賞口は、遊技球が通過（進入）しやすい拡大開放状態と、遊技球が通過（進入）しにくいまたは通過（進入）できない通常開放状態とに変化する。
【００３７】
普通入賞球装置６Ａに形成された第１始動入賞口や普通可変入賞球装置６Ｂに形成された第２始動入賞口を通過（進入）した遊技球は、例えば図示しない第１始動口スイッチや第２始動口スイッチによってそれぞれ検出される。第１始動口スイッチによって遊技球が検出されたことに基づき、所定個数（例えば３個）の遊技球が賞球として払い出され、第１特図保留記憶数が所定の上限値（例えば「４」）以下であれば、第１始動条件が成立する。第２始動口スイッチによって遊技球が検出されたことに基づき、所定個数（例えば３個）の遊技球が賞球として払い出され、第２特図保留記憶数が所定の上限値（例えば「４」）以下であれば、第２始動条件が成立する。なお、第１始動口スイッチによって遊技球が検出されたことに基づいて払い出される賞球の個数と、第２始動口スイッチによって遊技球が検出されたことに基づいて払い出される賞球の個数は、互いに同一の個数であってもよいし、異なる個数であってもよい。
【００３８】
普通入賞球装置６Ａと普通可変入賞球装置６Ｂの下方には、特別可変入賞球装置６Ｃが設けられている。特別可変入賞球装置６Ｃは、図２に示す大入賞口扉用となる図示しないソレノイドによって開閉駆動される大入賞口扉を備え、その大入賞口扉によって開放状態と閉鎖状態とに変化する特定領域としての大入賞口を形成する。
【００３９】
一例として、特別可変入賞球装置６Ｃでは、大入賞口扉用のソレノイドがオフ状態であるときに大入賞口扉が大入賞口を閉鎖状態として、遊技球が大入賞口を通過（進入）できなくする。その一方で、特別可変入賞球装置６Ｃでは、大入賞口扉用のソレノイドがオン状態であるときに大入賞口扉が大入賞口を開放状態として、遊技球が大入賞口を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。なお、遊技球が大入賞口を通過（進入）できない閉鎖状態に代えて、あるいは閉鎖状態の他に、遊技球が大入賞口を通過（進入）しにくい一部開放状態を設けてもよい。
【００４０】
大入賞口を通過（進入）した遊技球は、例えば図示しないカウントスイッチによって検出される。カウントスイッチによって遊技球が検出されたことに基づき、所定個数（例えば１５個）の遊技球が賞球として払い出される。こうして、特別可変入賞球装置６Ｃにおいて開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置６Ｃにおいて大入賞口が開放状態となれば、その大入賞口に遊技球が進入可能となり、遊技者にとって有利な第１状態となる。その一方で、特別可変入賞球装置６Ｃにおいて大入賞口が閉鎖状態となれば、大入賞口に遊技球を通過（進入）させて賞球を得ることが不可能または困難になり、遊技者にとって不利な第２状態となる。
【００４１】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。
【００４２】
普通図柄表示器２０の上方には、普図保留表示器２５Ｃが設けられている。普図保留表示器２５Ｃは、例えば４個のＬＥＤを含んで構成され、通過ゲート２６を通過した有効通過球数としての普図保留記憶数を表示する。
【００４３】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口７が設けられている。
【００４４】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置６Ｃ等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００４５】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００４６】
下皿を形成する部材には、例えば下皿本体の上面における手前側の所定位置（例えば下皿の中央部分）などに、遊技者が把持して傾倒操作が可能なスティックコントローラ３１Ａが取り付けられている。スティックコントローラ３１Ａは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラ３１Ａの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検知するトリガセンサが内蔵されていればよい。
【００４７】
スティックコントローラ３１Ａの下部における下皿の本体内部などには、操作桿に対する傾倒操作を検知する傾倒方向センサユニットが設けられていればよい。例えば、傾倒方向センサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組み合わせた４つの透過形フォトセンサを含んで構成されていればよい。
【００４８】
上皿を形成する部材には、例えば上皿本体の上面における手前側の所定位置（例えばスティックコントローラ３１Ａの上方）などに、遊技者が押下操作などにより所定の指示操作を可能なプッシュボタン３１Ｂが設けられている。プッシュボタン３１Ｂは、遊技者からの押下操作などによる所定の指示操作を、機械的、電気的、あるいは、電磁的に、検出できるように構成されていればよい。プッシュボタン３１Ｂの設置位置における上皿の本体内部などには、プッシュボタン３１Ｂに対してなされた遊技者の操作行為を検知するプッシュセンサが設けられていればよい。なお、スティックコントローラ３１Ａやプッシュボタン３１Ｂは、遊技者による操作が検出された場合、図２に示す演出制御基板１２によって画像表示装置５における表示演出が変更されたり、スピーカ８Ｌ、８Ｒからの音声出力や遊技効果ランプ９などの発光体における点灯動作（点滅動作）などが行われる演出（例えば予告演出やリーチ演出）などにおいて使用されればよい。
【００４９】
図２は、パチンコ遊技機１の背面図である。この実施の形態におけるパチンコ遊技機１の背面側には、主要基板として、電源基板１０と、主基板１１と、演出制御基板１２と、音声制御基板１３と、ランプ制御基板１４と、払出制御基板１５と、情報端子基板１６とがそれぞれ適所に配設されているとともに、遊技媒体としての遊技球を研磨する研磨機構（研磨手段）４０が遊技球の移送経路に配設されている。なお、主要基板のうち、演出制御基板１２、音声制御基板１３及びランプ制御基板１４は、それぞれ独立した基板として、例えば、パチンコ遊技機１の裏面において、１つのボックスに収容された状態で配置されてもよい。さらに、演出制御基板１２、音声制御基板１３及びランプ制御基板１４を、まとめて１つの基板として構成してもよい。
【００５０】
電源基板１０は、パチンコ遊技機１内の各回路に所定の電源電圧を供給するものである。
【００５１】
主基板１１は、メイン側の制御基板であり、パチンコ遊技機１における遊技の進行を制御するための各種回路が搭載されている。主基板１１は、主として、可変表示ゲームにおいて用いる乱数の生成機能、所定位置に配設されたスイッチ等からの信号の入力を行う機能、演出制御基板１２、音声制御基板１３、ランプ制御基板１４及び払出制御基板１５などからなるサブ側の制御基板に対して、それぞれ指令情報の一例となる制御コマンドを、遊技の進行を制御する制御信号として出力し送信する機能、ホールの管理コンピュータに対して各種情報を出力する機能などを備えている。
【００５２】
演出制御基板１２は、主基板１１とは独立して可変表示ゲームにおける画像処理のための表示制御を行うものである。演出制御基板１２は、主基板１１から出力される表示制御コマンドに基づいて、可変表示ゲームに用いられる画像を画像表示装置５上に表示させるとともに、普通図柄表示器２０の点灯／消灯制御を行う。すなわち、演出制御基板１２は、主基板１１からの制御コマンドに基づいて画像表示装置５の表示動作を制御することによって、遊技の進行に関わる画像表示による演出を制御する。
【００５３】
音声制御基板１３、ランプ制御基板１４は、主基板１１から送信される制御コマンドに基づいて、音声出力制御、ランプ出力制御を、それぞれ主基板１１とは独立して実行するサブ側の制御基板である。すなわち、音声制御基板１３は、主基板１１からの制御コマンドに基づいてスピーカ８Ｌ、８Ｒによる音声出力動作を制御することによって、遊技の進行に関わる音声による演出を制御する。また、ランプ制御基板１４は、主基板１１からの制御コマンドに基づいて遊技効果ランプ９の点灯／消灯動作を制御することによって、遊技の進行に関わるランプの点灯、点滅あるいは消灯による演出を制御する。払出制御基板１５は、遊技球の貸出や賞球等の払出制御を行うものである。情報端子基板１６は、各種の遊技関連情報を外部に出力するためのものである。
【００５４】
研磨機構４０は、遊技機用枠３に取り付けられ、遊技に用いられる遊技球を研磨布Ａに当接させて研磨する。パチンコ遊技機１には、第１始動入賞口や第２始動入賞口、大入賞口などの入賞口を通過（進入）した遊技球や、アウト口７を通過（進入）した遊技球を移送する図示しない移送経路が形成されており、研磨機構４０は、この移送経路中に配設されている。以下、研磨機構４０が遊技機用枠３に取り付けられているときに遊技者から見た向きを基準として、研磨機構４０について説明する。
【００５５】
図３、図４は、この実施の形態における研磨機構４０をパチンコ遊技機１の裏面側、正面側から示す斜視図であり、図５、図６は、研磨機構４０を一部分解して示す斜視図である。研磨機構４０は、遊技機用枠３に取り付けられて支持されるベース４２と、ベース４２に支持されて遊技球の移送経路の一部を構成する通路部材５０と、遊技球を移送する移送部５２と、通路部材５０に対向して配設されて研磨布Ａが掛け渡される研磨カセット６０と、研磨布Ａを巻き取る巻取部６５と、巻取部６５に研磨布Ａが巻き付くのを防止するカバー部材７０、７３と、巻取部６５を駆動する巻取駆動部７７と、を有する。また、研磨機構４０の裏面には、電源基板１０や主基板１１などとの配線を接続するための複数の端子４０ａが設けられている。なお、研磨布Ａは、この実施の形態では、両端が接続された帯状且つ環状のものが用いられ、巻取部６５によって左から右に巻き取られて更新される。以下、研磨布Ａが巻き取られる方向（左右方向）を「巻取方向」ともいう。
【００５６】
ベース４２は、パチンコ遊技機１の遊技面に平行なベース面４２ａを有し、このベース面４２ａの正面側（前側）に、通路部材５０や研磨カセット６０などが取り付けられ、ベース面４２ａの裏面側（後側）に、移送部５２の駆動源５４や巻取駆動部７７の駆動源７８などが取り付けられる。図７は、研磨機構４０から研磨カセット６０を取り外して示す図であり、図８は、研磨機構４０から研磨カセット６０を取り外すとともにベース４２から通路部材５０を取り外して示す図である。
【００５７】
ベース４２の正面側（前側）は、図６〜図８などに示すように、ベース面４２ａの外縁から正面側に周囲壁４３が突出する箱状になっており、周囲壁４３の前面の四隅には、研磨機構４０をパチンコ遊技機１の裏面に配設するためのビス孔４３ａが形成されている。
【００５８】
ベース面４２ａの正面側には、通路部材５０が取り付けられ、ベース面４２ａと通路部材５０とで研磨機構４０における遊技球の移送経路が構成される。研磨機構４０における遊技球の移送経路は、図７や図８に示すように、正面側から見て、遊技球が上方向から進入して略鉛直方向に進んだ（落下した）後に、研磨布Ａと当接する研磨領域を通って左方向に向かうよう構成されており、周囲壁４３の上側壁と左側壁とには遊技球が通過する通過孔４３ｂが形成されている。ベース面４２ａには、研磨領域を通過する移送経路（以下、「研磨通路」という）の部分に、後述する移送部５２のスクリュー部材５３が配置されるガイド溝４２ｂが形成されている。このガイド溝４２ｂは、右下から左上に向かって、つまり、研磨布Ａの巻取方向に対して傾けて形成されている。また、ベース面４２ａの右側には、移送部５２の複数のギヤ５５Ａ〜５５Ｃが配置される位置に孔４２ｃが形成されるとともに、移送部５２の複数のギヤ５５Ａ〜５５Ｃやスクリュー部材５３を軸支する板状の軸支部４４が設けられている。
【００５９】
ベース４２の周囲壁４３とベース面４２ａとで囲繞される収納空間には、研磨カセット６０が収納される。ベース４２の周囲壁４３の左右側壁のそれぞれには、図６や図７などに示すように、研磨カセット６０を着脱可能に取り付けるための取付レバー４６、４７が軸支されている。取付レバー４６、４７は、研磨カセット６０の上下側面から突出する突起６０ａと係合するように構成されている。具体的には、取付レバー４６、４７は、研磨カセット６０の突起６０ａの位置とは回転軸がずれてベース４２の上下周囲壁４３に軸支されており、上下内側に突出した係合部４６ａ、４７ａが形成されている。この取付レバー４６、４７は、右側に回動させることによって、係合部４６ａ、４７ａが研磨カセット６０の突起６０ａの前側に位置して研磨カセット６０がベース４２に支持され、左側に回動させることによって、研磨カセット６０の突起６０ａとの係合が解除される。こうした取付レバー４６、４７によって、研磨カセット６０のベース４２への装着や取り外しを容易に行うことができる。なお、取付レバー４６、４７は、左側に回動させることによって研磨カセット６０の突起６０ａと係合し、右側に回動することによって係合が解除されるように構成されてもよい。さらに、取付レバー４６、４７は、研磨カセット６０の突起６０ａ以外の部分と係合するように構成されてもよいし、こうした取付レバー４６、４７が備えられなくてもよい。
【００６０】
また、ベース４２には、研磨カセット６０がベース４２ａに取り付けられているときにＯＮされるスイッチ４２ｄが設けられている（図７参照）。さらに、ベース４２の周囲壁４３とベース面４２ａとで囲繞される収納空間には、仕切板４８が設けられており、研磨カセット６０が収納される空間と、巻取駆動部７７の一部が収納される空間とに区分けされている。この仕切板４８には、後述する巻取部６５のローラ６６Ａを軸支する軸支溝４８ａが形成されている。また、ベース４２には、研磨カセット６０を位置決めして支持する複数のボス４２ｅや、ベース面４２ａに通路部材５０を位置決めする位置決め突起４２ｆなども形成されている（図６〜図８参照）。
【００６１】
通路部材５０は、ベース４２のベース面４２ａに取り付けられ、ベース面４２ａとともに研磨機構４０における遊技球の移送経路を構成する。通路部材５０は、研磨機構４０における移送経路で遊技球が一列で通過するように寸法が定められている。通路部材５０は、図７〜図９に示すように、遊技球が研磨布Ａと当接する研磨領域を通る研磨通路では、右下から左上に向かってつまり研磨布Ａの巻取方向に対して傾くように形成されるとともに遊技球の前面側を露出させた状態で遊技球を導くように形成され、その他の部分では、遊技球の前面側も覆うように形成されている。具体的には、研磨通路の部分において通路部材５０は、図１０（ａ）、（ｂ）に示すように、正面側端部が遊技球の直径Ｄよりも小さく開口して形成されており、遊技球の前側の頂面が通路部材５０よりも前方に突出し、かつ、通路部材５０から遊技球が飛び出ることがないように設計されている。なお、研磨通路の部分における通路部材５０の開口幅Ｗは、遊技球の直径Ｄよりもわずかに小さく形成されて、遊技球が露出する部分を多くしている。
【００６２】
また、通路部材５０は、研磨通路の部分で蛇行して形成され、遊技球を蛇行して移動させる。通路部材５０の蛇行している部分では、蛇行の外周側を補強するようにリブ５０ａが設けられている。また、通路部材５０には、移送部５２のスクリュー部材５３を前面側から軸支する半円状の軸支溝５０ｂが形成されているとともに（図９参照）、ベース４２の位置決め突起４２ｆに対応する位置決め凹部５０ｃが形成されている。
【００６３】
移送部５２は、研磨通路に配設されるスクリュー部材５３と、駆動源５４と、複数のギヤ５５Ａ〜５５Ｃとを有する。スクリュー部材５３は、ベース４２のガイド溝４２ｂに配置されて裏面側から通路部材５０に覆われ、研磨通路内で回転可能に軸支される。スクリュー部材５３には、図８から図１０などに示すように、螺旋状の凹凸５３ａが形成されている。スクリュー部材５３の螺旋状の凹凸５３ａは、遊技球に当接する部分が上下方向に近づくように、つまり研磨布Ａの巻き取り方向に対して垂直な向きに近づくように、螺旋の向きが定められている。また、スクリュー部材５３の螺旋状の凹凸５３ａは、凹凸５３ａのピッチ（螺旋ピッチ）Ｐｓと通路部材５０の研磨通路での蛇行のピッチ（蛇行ピッチ）Ｐｇとが異なるように形成されている。一例として、この実施の形態では、スクリュー部材５３の螺旋ピッチＰｓは、凸部同士の間に１つの遊技球が位置するように定められ、通路部材５０の蛇行ピッチＰｇは、スクリュー部材５３の螺旋ピッチＰｓよりもやや大きく定められている（Ｐｇ＞Ｐｓ）。ただし、こうした例に限定されるものではなく、例えば通路部材５０の蛇行ピッチＰｇよりも、スクリュー部材５３の螺旋ピッチＰｓの方が大きくてもよい。
【００６４】
移送部５２の駆動源５４は、図５などに示すように、ベース４２の裏面側に取り付けられており、スクリュー部材５３を回転させる動力を出力する。駆動源５４は、例えばステッピングモータなどのモータを用いることができ、主基板１１によって制御される。移送部５２は、複数のギヤ５５Ａ〜５５Ｃとして、駆動源５４の出力軸に取付けられた出力ギヤ５５Ａと、ベース４２に軸支された伝達ギヤ５５Ｂと、スクリュー部材５３の端部に取付けられた回転ギヤ５５Ｃと、を有する。この実施の形態では、駆動源５４は、出力軸がスクリュー部材５３の回転軸と平行になるように配設されており、出力ギヤ５５Ａ及び回転ギヤ５５Ｃは平歯車で構成され、伝達ギヤ５５Ｂは、出力ギヤ５５Ａと噛み合う平歯車と、回転ギヤ５５Ｃと噛み合う平歯車とが一体に回転する２段の歯車で構成されている。これらの複数のギヤ５５Ａ〜５５Ｃは、ベース４２に支持されてケースカバー４９によって覆われる。移送部５２では、駆動源５４から動力が出力されると、出力ギヤ５５Ａから伝達ギヤ５５Ｂを介して回転ギヤ５５Ｃに動力が伝達され、回転ギヤ５５Ｃの回転に伴ってスクリュー部材５３が回転する。なお、移送部５２は、スクリュー部材５３が複数のギヤ５５Ａ〜５５Ｃを介して駆動源５４に接続されるものに限定されず、例えばスクリュー部材５３と駆動源５４とが直接に、またはベルトなどを介して接続されて構成されてもよい。
【００６５】
研磨カセット６０は、ベース４２の通路部材５０に対向する位置に着脱可能に取り付けられる。一例として、この実施の形態では、遊技機用枠３から遊技盤２を外すことによって、ベース４２に対して研磨カセット６０を前方から取り付け及び取り外しできるように構成されている。研磨カセット６０は、左右方向に長い直方体箱状に形成されており、裏面（後側）に研磨布Ａが掛け渡される。研磨カセット６０の裏面の上下方向の両縁には、後方に突出するガイド縁６０ｂが形成されており、研磨布Ａは、このガイド縁６０ｂによって、幅方向の両端がガイドされる。研磨カセット６０には、裏面右側の角に研磨布Ａが巻き取られる巻取口６１が形成されているとともに、左側の壁面に研磨布Ａが送り出される送出口６２が形成されている。研磨カセット６０は、巻取部６５によって巻取口６１から巻き取られた研磨布Ａを内部に折り重ねて収容する（図１３参照）。
【００６６】
図１１は、研磨カセット６０や巻取部６５を分解して示す分解図であり、図１２は、研磨カセット６０を一部分解して上方から見た図である。研磨カセット６０は、図１１及び図１２に示すように、上側部材（第１部材）６０Ａと下側部材（第２部材）６０Ｂとが組み合わされて構成されている。なお、図１１及び図１２では、上側部材６０Ａと下側部材６０Ｂの裏側に隠れている形状を破線で示している。上側部材６０Ａと下側部材６０Ｂとは、巻取口６１や送出口６２の長手方向（研磨布の幅方向）を分割し、それぞれの接合面の四隅に形成された取付孔６０ｃを介してビスなどによって互いに組み付けられる。このように巻取口６１や送出口６２の長手方向を分割する２部材が組み合わされて研磨カセット６０が構成されることによって、巻取口６１と送出口６２の短手方向の長さには上側部材６０Ａと下側部材６０Ｂとの接合誤差の影響が無く、巻取口６１と送出口６２との短手方向の長さにばらつきが生じるのを抑制して研磨カセット６０の製造を容易にすることができる。
【００６７】
研磨カセット６０の送出口６２は、研磨カセット６０の内側に突出して形成されている。具体的には、送出口６２は、研磨カセット６０の左壁面から内側である右側に突出して形成されており、その内側の端部６２ａは、曲面状の丸角に形成されている。また、研磨カセット６０の送出口６２が形成された左側壁は、上方から見て、研磨布Ａを収容する収容空間が左に向かうほど狭くなるように、つまり、送出口６２に近いほど研磨カセット６０が細くなるように傾斜して（テーパをつけて）形成されている。このように送出口６２が研磨カセット６０の内部に突出して形成されていることによって、研磨布Ａが送出口６２から送り出されるときに、研磨布Ａに付着している汚れ（垢や釘などの摩擦粉）を落とすことができる。また、送出口６２に近いほど研磨カセット６０が細くなるように形成されているので、研磨カセット６０の内壁面にガイドされて研磨布Ａが送出口６２までスムースに導くことができるとともに、送出口６２の内側端部が丸角に形成されているので、研磨体Ａを送出口６２からスムースに送り出すことができる。
【００６８】
研磨カセット６０の送出口６２近傍には、送出口６２から送り出される研磨布Ａを押さえる押え板６３が設けられている。この実施の形態では、押え板６３は、図１１に示すように、上側部材６０Ａと下側部材６０Ｂの両外側からビスなどで取り付けられ、上側部材６０Ａと下側部材６０Ｂとを組み付ける組付具を兼ねている。押え板６３は、図１２に示すように、上側部材６０Ａと下側部材６０Ｂとの取り付け位置から後側（裏面側）右方に延出した形状に形成されており、送出口６２から送り出される研磨布Ａと鋭角な角度で当接する。また、押え板６３の研磨布Ａに当接する端部６３ａは、研磨カセット６０の壁面に沿った向きに曲げられている。こうした押え板６３によって、送出口６２から送り出される研磨布Ａを押さえることができるので、研磨カセット６０に研磨布Ａを弛むことなく掛け渡すことができる。また、押え板６３は、研磨布Ａに当接する端部６３ａが曲げられて板面が研磨布Ａに当接するように形成されており、研磨布Ａを均等な力で押さえることができる。
【００６９】
また、研磨カセット６０の上側面および下側面のそれぞれには、ベース４２との取り付けのための突起６０ａが形成されている。さらに、下側面の突起６０ａより後側（ベース４２側）には、研磨カセット６０がベース４２に取り付けられたときに、ベース４２のスイッチ４２ｄ（図７参照）を押す当接板６０ｄが設けられている。さらに、研磨カセット６０の上側面および下側面のそれぞれには、巻取部６５を軸支する軸支孔６４ａ、６４ｂや、カバー部材７３を軸支する軸支孔６４ｃが形成されており、研磨カセット６０の上側面には、カバー部材７３の取付け置を調整するための調整孔６４ｄが形成されている。この実施の形態では、巻取部６５を取り付けるための軸支孔６４ａ、６４ｂのうち、正面側（巻取口６１から遠い側）の軸支孔６４ｂは、巻取部６５のローラ６６Ｂが移動可能なように、ローラ６６Ｂの回転軸６７Ｂよりもやや大きい寸法で形成されている。また、研磨カセット６０の上側部材６０Ａ及び下側部材６０Ｂには、カバー部材７０を位置決めするための位置決め凸部６０ｅが裏面内側に形成されており、上側部材６０Ａには、カバー部材７３の回動を規制する規制部６０ｆが前面内側に形成されている。
【００７０】
巻取部６５は、研磨カセット６０の上側部材６０Ａ及び下側部材６０Ｂに軸支された２つのローラ６６Ａ、６６Ｂを有し、研磨カセット６０の裏面に掛け渡された研磨布Ａを巻き取って更新する。図１３は、２つのローラ６６Ａ、６６Ｂとカバー部材７０、７３とを拡大して示す図であり、図１４は、２つのローラ６６Ａ、６６Ｂのうち前側のローラ６６Ｂを分解して示す図である。この実施の形態では、２つのローラ６６Ａ、６６Ｂのそれぞれは、回転軸６７Ａ、６７Ｂに複数（例えば、６つなど）の歯車部材６８が取り付けられて構成されている。複数の歯車部材６８のそれぞれは、外周面に歯車状の凹凸が形成されており、軸方向に互いに間隔をあけて位置するよう回転軸６７Ａ、６７Ｂに取り付けられている。
【００７１】
２つのローラ６６Ａ、６６Ｂの複数の歯車部材６８は、この実施の形態では、それぞれ同一の形状に形成されている。２つのローラ６６Ａ、６６Ｂを構成する回転軸６７Ａ、６７Ｂには、図１４に示すように、均等な間隔で孔６７ａが形成されており、この孔６７ａに歯車部材６８を止める止軸６９が挿通される。歯車部材６８の軸方向端面には、止軸６９が嵌る溝６８ａが形成されており、回転軸６７Ａ、６７Ｂに挿通された止軸６９と歯車部材６８の溝６８ａが係合することによって、複数の歯車部材６８が回転軸６７Ａ、６７Ｂに取り付けられる。ここで、複数の歯車部材６８は、研磨通路が研磨布Ａの巻取方向に対して傾いている方向側（上側）に溝６８ａが形成されている。こうした構成よって、複数の歯車部材６８は、外周面の凹凸が同位相になるように回転軸６７Ａ、６７Ｂに取り付けられて、回転軸６７Ａ、６７Ｂの回転に伴って一体に回転する。なお、ローラ６６Ａ、６６Ｂは、回転軸６７Ａ、６７Ｂに止軸６９が取り付けられて複数の歯車部材６８が取り付けられるものに限定されず、回転軸６７Ａ、６７Ｂと歯車部材６８とが一体に形成されていてもよい。また、２つのローラ６６Ａ、６６Ｂのそれぞれは、６つの歯車部材６８が間隔をあけて取り付けられるものに限定されず、２つから５つ、又は７つ以上の歯部材が互いに間隔をあけて取り付けられてもよいし、１つの歯車部材が取り付けられて構成されてもよい。また、２つのローラ６６Ａ、６６Ｂで異なる数の歯車部材６８が取り付けられてもよい。さらに、複数の歯車部材６８は、互いに所定位相ずつずらして回転軸６７Ａ、６７Ｂに取り付けられてもよい。また、２つのローラ６６Ａ、６６Ｂのうち少なくとも一方が、例えば円柱状など歯車状でない形状に形成されていてもよい。
【００７２】
巻取部６５の２つのローラ６６Ａ、６６Ｂは、回転軸６７Ａ、６７Ｂのそれぞれが上側部材６４Ａ、下側部材６４Ｂの軸支孔６４ａ、６４ｂに挿通して、研磨カセット６０に軸支される。このとき、２つのローラ６６Ａ、６６Ｂの回転軸６７Ａ、６７Ｂは互いに平行に配置される。２つのローラ６６Ａ、６６Ｂのうち、後側（巻取口６１側）のローラ６６Ａは、回転軸６７Ａが研磨カセット６０から突出して、研磨カセット６０の外部にて回転ギヤ７９Ｃが取り付けられる。また、前側のローラ６６Ｂの回転軸６７Ｂが挿通される軸支孔６４ｂは、回転軸６７Ｂよりもやや大きい寸法に形成されており、ローラ６６Ｂは、軸支孔６４ｂ内で若干移動することができる。
【００７３】
カバー部材７０、７３は、研磨カセット６０の内部に収容されており、巻取部６５に研磨布Ａが巻き付くのを防止する。カバー部材７０、７３は、巻取部６５の２つのローラ６６Ａ、６６Ｂのそれぞれに対応する２つの部材から構成されており、研磨カセット６０の内部の裏面側と正面側とに取り付けられている。なお、カバー部材７０、７３は、研磨カセット６０に取り付けられるものに限定されず、例えば研磨カセット６０の上側部材６０Ａまたは下側部材６０Ｂと一体に形成されてもよい。
【００７４】
２つのカバー部材７０、７３のそれぞれは、巻取部６５の回転軸６７Ａ、６７Ｂの軸方向（上下方向）に沿った板面を有する板状部７１、７４と、回転軸６７Ａ、６７Ｂの軸方向に垂直な板面を有する複数の爪状部７２、７５とを有する。裏面側（巻取口６１側）のカバー部材７０の板状部７１は、研磨カセット６０の巻取口６１から巻取部６５の２つのローラ６６Ａ、６６Ｂの右方に研磨布Ａを導く右壁部７１ａと、ローラ６６Ａの裏面側を覆う曲面状の側壁部７１ｂと、巻取部６５から送出口６２に向かって研磨カセット６０の研磨布Ａを収容する収容領域が大きくなるように裏面側に傾斜した左壁部７１ｃと、が連続して形成されている。また、カバー部材７０の複数の爪状部７２のそれぞれは、側壁部７１ｂの板面から垂直に起立して形成されている。爪状部７２は、ローラ６６Ａの複数の歯車部材６８同士の隙間に突出するように形成されており、その端部が複数の歯車部材６８の外周面よりも内側に入り込む。また、前側のカバー部材７３の板状部７４は、右側に位置する右壁部７４ａと、ローラ６６Ｂの正面側を覆う曲面状の側壁部７４ｂと、巻取部６５から送出口６２に向かって研磨カセット６０内の収容領域が大きくなるように前側に傾斜した左壁部７４ｃとが連続して形成されている。カバー部材７３の複数の爪状部７５は、カバー部材７０の複数の爪状部７２と同様に、側壁部７４ｂから起立してローラ６６Ｂの複数の歯車部材６８同士の隙間に突出するように形成されている。
【００７５】
また、裏面側のカバー部材７０には、研磨カセット６０の下側部材６０Ｂとの取り付けのための取付孔７０ａが形成されているとともに（図１３参照）、上側部材６０Ａ及び下側部材６０Ｂとの位置決めのために切り欠き７０ｂ（図１２参照）が形成されている。一方、前側のカバー部材７３には、上側部材６０Ａ及び下側部材６０Ｂの軸支孔６４ｃに軸支される軸部７６が設けられているとともに、下側部材６０Ｂとの取付のための取付孔７３ａが形成されている。なお、前側のカバー部材７３の取付孔７３ａは、研磨カセット６０へのカバー部材７３の取付位置を調整できるように、軸部７６を中心とした円弧状に形成されている（切り欠かれている）。
【００７６】
裏面側のカバー部材７０は、研磨カセット６０の上側部材６０Ａ及び下側部材６０Ｂの位置決め凸部６０ｅと取付孔７０ａとを位置合わせして、取付孔７０ａを介してビス止めすることにより、研磨カセット６０の内部に固定される。また、前面側のカバー部材７３は、軸部７６を研磨カセット６０の軸支孔６４ｃに挿通させて、取付孔７３ａを介してビス止めすることにより、研磨カセット６０の内部に取り付けられる。ここで、この実施の形態では、前面側のカバー部材７３は、研磨カセット６０に形成された調整孔６４ｄを介して外側から取付孔７３ａのビスを緩めたり締めたりすることができ、軸部７６回りに回動させてカバー部材７３の研磨カセット６０への取付位置を調整することができる。また、カバー部材７３の取付位置を調整することによって、爪状部７５がローラ６６Ｂの回転軸６７Ｂと当接し、前面側のローラ６６Ｂの位置を間接的に調整することができる。これにより、巻取部６５の２つのローラ６６Ａ、６６Ｂ同士の隙間の大きさを調整することができ、巻取部６５に対して研磨布Ａを容易に取り付けることができる。研磨布Ａを巻取部６５に取り付けたときには、ローラ６６Ａ、６６Ｂ同士の隙間を研磨布Ａの厚さよりも若干小さくなるように調整することによって、滑ることなく巻取部６５によって研磨布Ａを巻き取ることができる。
【００７７】
巻取駆動部７７は、図７などに示すように、駆動源７８と、複数のギヤ７９Ａ、７９Ｂとを有し、巻取部６５を駆動する。この実施の形態では、巻取駆動部７７の駆動源７８は、ベース４２の裏面側に取り付けられており、巻取部６５の２つのローラ６６Ａ、６６Ｂのうち、裏面側（巻取口６１側）のローラ６６Ａを回転させる動力を出力する。駆動源７８は、例えばステッピングモータなどのモータを用いることができ、主基板１１によって制御される。巻取駆動部７７は、複数のギヤ７９Ａ、７９Ｂとして、駆動源７８の出力軸に取付けられた出力ギヤ７９Ａと、ベース４２に軸支された伝達ギヤ７９Ｂとを有する。この実施の形態では、巻取駆動部７７の駆動源７８は、ベース４２のベース面４２ａに対して垂直となるように出力軸が配設されており、出力ギヤ７９Ａは、ねじ歯車（ウォーム）で構成され、伝達ギヤ７９Ｂは、出力ギヤ７９Ａと噛み合うはすば歯車（ウォームホイール）と、巻取部６５の回転ギヤ７９Ｃと噛み合う平歯車とが一体に回転する２段の歯車で構成されている。巻取駆動部７７では、駆動源７８から動力が出力されると、出力ギヤ７５Ａから伝達ギヤ７９Ｂを介して巻取部６５の回転ギヤ７９Ｃに動力が伝達され、回転ギヤ７９Ｃの回転に伴って巻取部６５のローラ６６Ａが回転するとともに、ローラ６６Ａと研磨布Ａを介して噛み合うローラ６６Ｂが回転する。なお、巻取駆動部７７は、巻取部６５が複数のギヤ７９Ａ〜７９Ｂを介して駆動源７８に接続されるものに限定されず、例えば駆動源７８と巻取部６５が直接に、またはベルトなどを介して接続されるように構成されてもよい。
【００７８】
研磨機構４０では、遊技球がベース４２上側の通過口４３ａからベース４２と通路部材５０とで形成される移送経路に進入して、右下から左上に向かって形成された、つまり、研磨布Ａの巻取方向（左右方向）に対して傾けて形成された研磨通路に導かれる。遊技球は、研磨通路において前面を露出させた状態で導かれ、研磨カセット６０に掛け渡された研磨布Ａと当接する。主基板１１は、移送部５２の駆動源５４を駆動してスクリュー部材５３を回転させることによって遊技球を研磨通路に沿って移送し、研磨通路を通過することによって遊技球が研磨される。そして、遊技球は、研磨通路を通過すると、ベース４２の左側の通過口４３ａから排出されて、図示しない遊技球の回収部に回収される。
【００７９】
この実施の形態では、研磨機構４０における遊技球の移送経路のうち、遊技球が研磨布Ａと当接する研磨通路が、研磨布Ａの巻取方向に対して傾けて形成されているので、巻取部６５によって研磨布Ａを少し巻き取るだけで遊技球と当接する研磨布Ａの部分を更新することができ、研磨布Ａの全面を有効に利用して遊技球を研磨することができる。また、遊技球は、研磨布Ａが巻き取られる方向（左から右に向かう方向）と略反対方向（右下から左上に向かう方向）に移送されるので、遊技球の移動に伴って研磨布Ａが弛むのを抑制できる。
【００８０】
また、この実施の形態の研磨機構４０では、通路部材５０は、研磨布Ａと当接する部分が蛇行して形成されているので、研磨布Ａと当接する遊技球の部分が偏るのを抑制して遊技球を好適に研磨することができる。しかも、通路部材５０の蛇行ピッチＰｇは、スクリュー部材５３の螺旋ピッチＰｓと異なるように形成されているので、図１０（ａ）に示すように、蛇行して移送される遊技球ごとの位相をずらすことができ、つまり、遊技球が蛇行することによって研磨布Ａにかかる力を複数の遊技球ごとにずらすことができ、遊技球の蛇行によって研磨布Ａが上下方向（巻取方向に垂直な方向）にずれるのを抑制することができる。
【００８１】
研磨布Ａは、遊技球を研磨することによって汚れるので、主基板１１は、巻取駆動部７７の駆動源７８を駆動して、巻取部６５のローラ６６Ａを回転させて研磨布Ａを巻き取る。巻取部６５のローラ６６Ａを回転させると、研磨布Ａは、巻取口６１から研磨カセット６０の内部に巻き取られ、図１２に示すように、研磨カセット６０の左右内壁面にガイドされて研磨カセット６０の内部に折り重なって収容される。また、このときには、研磨布Ａが送出口６２から引っ張り出され、研磨カセット６０の裏面に掛け渡される研磨布Ａの部分が更新される。この実施の形態では、送出口６２の近傍に研磨布Ａを押さえる押え板６３が設けられているので、研磨布Ａを弛むことなく研磨カセット６０に掛け渡すことができる。
【００８２】
研磨布Ａを巻き取る巻取部６５の２つのローラ６６Ａ、６６Ｂは、平歯車状の歯車部材６８が研磨布Ａを介して噛み合うように構成されているので、研磨布Ａを滑ることなく巻き取ることができる。また、この実施の形態では、遊技球の研磨通路が研磨布Ａの巻取方向に対して傾けて形成されているので、遊技球の移動に伴って巻取方向に対して傾いた力が研磨布Ａに加えられてしまう。これに対して、この実施の形態では、巻取部６５の２つのローラ６６Ａ、６６Ｂのそれぞれは、複数の歯車部材６８が軸方向に間隔をあけて取り付けられているので、研磨布Ａの左右方向の移動が抑制され、研磨布Ａの配置がずれるを抑制することができる。しかも、この実施の形態の研磨機構４０では、研磨カセット６０の調整孔６４ｄを介して巻取部６５の２つのローラ６６Ａ、６６Ｂの隙間の大きさを調整することができるので、研磨布Ａの巻き取りを好適に行わせることができる。また、この実施の形態では、研磨通路は、研磨布Ａの巻取方向に対して下から上に傾いて形成されており、遊技球の移動によって研磨布Ａの配置をずらす方向の力が重力とは反対の向きとなるので、研磨布Ａの配置がずれるのを抑制することができる。
【００８３】
また、研磨カセット６０の内部には、巻取部６５に研磨布Ａが巻き付かないようにカバー部材７０、７３が設けられているので、研磨布Ａが詰まってしまうのを抑制することができる。しかも、カバー部材７０、７３のそれぞれは、巻取部６５から送出口６２に向かって、研磨カセット６０の研磨布Ａを収容する収容領域が広がるように内壁面に向かって傾斜して形成されているので、研磨布Ａをカバー部材７０、７３によってガイドして研磨カセット６０の内部にスムースに収容することができる。
【００８４】
研磨布Ａの巻き取りは、例えば、一定数の遊技球が研磨通路を通過するごとに行うものとすることができる。また、所定時間ごとに行うものとしたり、研磨布Ａの汚れを検知するセンサを設けて、研磨布Ａの汚れ具合がある一定以上となるごとに行うものとしてもよい。さらに、研磨布Ａの巻き取りは、遊技球が研磨通路を通過するときにゆっくりと行われてもよい。この場合には、上述したように、研磨布Ａが左から右に巻き取られるとともに、遊技球が略反対方向に移送されるので、研磨布Ａと遊技球との研磨作用を向上させることができる。また、この実施の形態では、スクリュー部材５３の螺旋状の凹凸５３ａが、遊技球と当接する部分で研磨布Ａの巻取方向（左右方向）に対して垂直に近づく向きに形成されているので、スクリュー部材５３から遊技球に対して研磨布Ａの巻取方向に沿った向きに力を加えることができ、研磨布Ａを巻き取りながら遊技球をスムースに移送することができる。
【００８５】
また、研磨布Ａは、例えば、巻取部６５によって研磨布Ａが所定量（例えば、１周や数周など）巻き取られたときや所定時間（例えば数十日など）ごとなどの所定のタイミングに、研磨カセット６０から取り外されて交換されるものとすればよい。また、例えば研磨布Ａに所定の目印を設けるとともに、この目印を検知するセンサを研磨機構４０に設けて、センサからの信号に基づいて研磨布Ａの交換を促す報知が行われるものとしたり、巻取駆動部７７の駆動源７８が駆動された量などに基づいて研磨布Ａの交換を促す報知が行われるなどとしてもよい。
【００８６】
次に、パチンコ遊技機１における遊技の進行を概略的に説明する。
【００８７】
パチンコ遊技機１の右下位置に設けられたハンドルを遊技者が操作すると、発射モータにより遊技球が遊技領域に打ち込まれ、遊技領域内を下りてくる。パチンコ遊技機１では、遊技領域に設けられた通過ゲート２６を通過した遊技球が図示しないゲートスイッチによって検出されたことといった、普通図柄表示器２０にて普通図柄の可変表示を実行するための普図始動条件が成立した後に、例えば前回の普図ゲームが終了したことといった、普通図柄の可変表示を開始するための普図開始条件が成立したことに基づいて、普通図柄表示器２０による普図ゲームが開始される。
【００８８】
この普図ゲームでは、普通図柄の変動を開始させた後、普図変動時間となる所定時間が経過すると、普通図柄の可変表示結果となる確定普通図柄を停止表示（導出表示）する。このとき、確定普通図柄として、例えば「７」を示す数字といった、特定の普通図柄（普図当り図柄）が停止表示されれば、普通図柄の可変表示結果が「普図当り」となる。その一方、確定普通図柄として、例えば「７」を示す数字以外の数字や記号といった、普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。
【００８９】
普通入賞球装置６Ａに形成された第１始動入賞口を通過（進入）した遊技球が図示しない第１始動口スイッチによって検出されたことなどにより第１始動条件が成立した後に、例えば前回の特図ゲームや大当り遊技状態が終了したことなどにより第１開始条件が成立したことに基づいて、第１特別図柄表示装置４Ａによる特図ゲームが開始される。また、普通可変入賞球装置６Ｂに形成された第２始動入賞口を通過（進入）した遊技球が図示しない第２始動口スイッチによって検出されたことなどにより第２始動条件が成立した後に、例えば前回の特図ゲームや大当り遊技状態が終了したことなどにより第２開始条件が成立したことに基づいて、第２特別図柄表示装置４Ｂによる特図ゲームが開始される。
【００９０】
第１特別図柄表示装置４Ａや第２特別図柄表示装置４Ｂによる特図ゲームでは、特別図柄の可変表示を開始させた後、特図ゲームが行われるごとに設定される特図変動時間としての可変表示時間が経過すると、特別図柄の可変表示結果となる確定特別図柄（特図表示結果）を導出表示する。このとき、確定特別図柄として特定の特別図柄（大当り図柄）が停止表示されれば、特定表示結果としての「大当り」となる。また、大当り図柄とは異なる特別図柄が確定特別図柄として停止表示されれば「ハズレ」となる。特図ゲームでの可変表示結果が「大当り」になった後には、遊技者にとって有利なラウンド（「ラウンド遊技」ともいう）を所定回数実行する特定遊技状態としての大当り遊技状態に制御される。
【００９１】
パチンコ遊技機１の第１始動入賞口や第２始動入賞口、大入賞口などの入賞口を通過（進入）した遊技球や、いずれの入賞口にも進入せずにアウト口７を進入した遊技球は、図示しない移送経路を通って遊技盤２の裏面に設けられた研磨機構４０に導かれる。研磨機構４０に導かれた遊技球は、ベース４２と通路部材５０とで構成される移送経路に沿って移動し、研磨布Ａと当接して研磨される。研磨機構４０を通過して研磨された遊技球は、図示しない遊技球の回収部に回収され、必要に応じて賞球や貸し出しとして払い出される。
【００９２】
以上説明したこの実施の形態のパチンコ遊技機１では、遊技に用いられる遊技媒体としての遊技球の流通経路に、研磨布Ａを当接させて遊技球を研磨する研磨機構４０が配設され、研磨機構４０では、遊技球の移送経路のうち、遊技球が研磨布Ａと当接する研磨通路が研磨布Ａの巻取方向に対して傾けて形成されているので、研磨布Ａの全面を有効に利用して遊技球を研磨することができる。また、研磨機構４０における研磨布Ａを巻き取る巻取部６５の２つのローラ６６Ａ、６６Ｂは、平歯車状の複数の歯車部材６８が軸方向に間隔をあけて配置され、研磨布Ａを介して噛み合うように構成されているので、研磨布Ａが巻取方向に垂直な方向に移動するのを抑制して、研磨布Ａの配置がずれるのを抑制することができる。
【００９３】
また、研磨機構４０における遊技球の移送経路を構成する通路部材５０は、研磨布Ａと当接する部分が蛇行して形成されているので、研磨布Ａと当接する遊技球の部分が偏るのを抑制して遊技球を好適に研磨することができる。しかも、通路部材５０の蛇行ピッチＰｇは、スクリュー部材５３の螺旋ピッチＰｓと異なるように形成されているので、蛇行して移送される遊技球ごとの位相をずらすことができ、遊技球の蛇行によって研磨布Ａの配置がずれるのを抑制することができる。
【００９４】
また、研磨機構４０では、巻取部６５によって巻き取られた研磨布Ａは、研磨カセット６０の内部に折り重なって収容される。そして、巻取部６５のローラ６６Ａ、６６Ｂには、研磨布Ａが巻き付かないようにカバー部材７０、７３が設けられているので、研磨布Ａが詰まるのを抑制することができる。しかも、カバー部材７０、７３のそれぞれは、巻取部６５から送出口６２に向かって研磨カセット６０の研磨布Ａを収容する収容領域が広がるように内壁面に向かって傾斜して形成されているので、カバー部材７０、７３によって研磨布Ａの巻き取りをガイドして研磨布Ａをスムースに研磨カセット６０の内部に収容することができる。さらに、研磨機構４０では、研磨カセット６０の研磨布Ａが送り出される送出口６２の近傍に、研磨布Ａを押さえる押え板６３が設けられているので、研磨布Ａを弛むことなく研磨カセット６０に掛け渡すことができる。
【００９５】
また、この実施の形態では、研磨カセット６０の送出口６２は、研磨カセット６０の内側に突出して形成されて、その内側端部６２ａが曲面状の丸角に形成されているので、研磨体Ａを送出口６２からスムースに送り出すことができる。さらに、研磨カセット６０は、送出口６２に近いほど研磨布Ａを収容する収容領域が狭くなるように壁面が傾斜して形成されているので、研磨布Ａを送出口６２にスムースに導くことができる。
【００９６】
この発明は、上記実施の形態に限定されず、様々な変形及び応用が可能である。例えば、パチンコ遊技機１では、上記実施の形態で示した全ての技術的特徴を備えるものでなくてもよく、従来技術における少なくとも１つの課題を解決できるように、上記実施の形態で説明した一部の構成を備えたものであってもよい。
【００９７】
上記実施の形態では、研磨カセット６０の裏面に研磨布Ａが掛け渡されるものとしたが、研磨カセット６０の裏面が、研磨布Ａの巻取方向（左右方向）の摩擦抵抗よりも垂直な方向（上下方向）の摩擦抵抗が大きくなるように、例えば塗料やブラシなどを研磨カセット６０の裏面に付してもよい。また、研磨カセット６０の裏面には、スポンジやゴムなど研磨布Ａを遊技球に向けて押圧する部材が設けられてもよい。
【００９８】
上記実施の形態では、巻取部６５の２つのローラ６６Ａ、６６Ｂを構成する歯車部材６８は、全て同一の寸法で形成されるものとしたが、例えば、複数の歯車部材６８は、研磨布Ａの巻取方向に対して遊技球が通る研磨通路が傾いている方向である上側の歯車部材６８ほど小さく、反対側としての下側の歯車部材６８ほど大きく形成されるなど、それぞれに異なる大きさに形成されていてもよい。
【００９９】
上記実施の形態では、スクリュー部材５３の螺旋状の凹凸５３ａは、遊技球と当接する部分が上下方向（研磨布Ａの巻取方向に対して垂直な方向）に近づく向きに形成されるものとしたが、遊技球と当接する部分が研磨布Ａの巻取方向に沿った方向に近づく向きに形成されてもよい。また、遊技球の移送は、螺旋状の凹凸５３ａが形成されたスクリュー部材５３を回転させることによって行われるものに限定されず、例えばベルトコンベアなど他の機構を用いてもよい。
【０１００】
上記実施の形態では、押え板６３は、研磨カセット６０の送出口６２から送り出された研磨布Ａを押さえるように、研磨布Ａの収容領域の外側に取り付けられるものとしたが、研磨カセット６０の内側や送出口６２に設けられてもよい。また、押え板６３は、研磨カセット６０を構成する上側部材６０Ａ及び下側部材６０Ｂに取り付けられるものに限定されず、上側部材６０Ａや下側部材６０Ｂと一体に形成されてもよい。
【０１０１】
上記実施の形態では、研磨カセット６０の送出口６２は、研磨カセット６０の左壁面から内部に突出して形成されるものとしたが、こうした例に限定されず、例えば研磨カセット６０の左壁面に貫通穴として形成されてもよい。また、研磨カセット６０は、裏面右側に巻取口６１が形成されるとともに左側壁に送出口６２が形成されるものに限定されず、巻取口６１や送出口６２は、任意の場所に形成されればよい。さらに、研磨カセット６０は、送出口６２に近づくほど細くなるテーパがつけられるものに限定されず、例えば完全な直方体状であってもよい。
【０１０２】
上記実施の形態では、巻取部６５の２つのローラ６６Ａ、６６Ｂのうち、裏面側（巻取口６１側）のローラ６６Ａに巻取駆動部７７から動力が出力されて巻取部６５が駆動されるものとしたが、前側のローラ６６Ｂに動力が出力されたり、２つのローラ６６Ａ、６６Ｂのそれぞれに動力が出力されて、巻取部６５が駆動されてもよい。
【０１０３】
上記実施の形態では、研磨布Ａは、環状かつ帯状のものが用いられるものとしたが、有端帯状のものが用いられてもよい。
【０１０４】
上記実施の形態では、研磨機構４０は、研磨布Ａの巻取方向が左右方向（水平方向）に沿うように遊技機用枠３に取り付けられるものとしたが、こうした例に限定されず、例えば研磨布Ａの巻取方向が上下方向（鉛直方向）に沿うように配設されてもよい。
【０１０５】
その他にも、パチンコ遊技機１の装置構成、データ構成、画像表示装置５の表示動作を含めた各種の演出動作などは、本発明の趣旨を逸脱しない範囲で、任意に変更及び修正が可能である。加えて、本発明の遊技機は、入賞球の検出に応答して所定数の賞球を払い出す払出式遊技機に限定されるものではなく、遊技球を封入し入賞球の検出に応答して得点を付与する封入式遊技機にも適用することができる。
【符号の説明】
【０１０６】
１  …  パチンコ遊技機
２  …  遊技盤
３  …  遊技機用枠
４Ａ  …  第１特別図柄表示装置
４Ｂ  …  第２特別図柄表示装置
５  …  画像表示装置
６Ａ  …  普通入賞球装置
６Ｂ  …  普通可変入賞球装置
６Ｃ  …  特別可変入賞球装置
７  …  アウト口
８Ｌ、８Ｒ  …  スピーカ
９  …  遊技効果ランプ
１０  …  電源基板
１１  …  主基板
１２  …  演出制御基板
１３  …  音声制御基板
１４  …  ランプ制御基板
１５  …  払出制御基板
１６  …  情報端子基板
２０  …  普通図柄表示器
２５Ａ  …  第１保留表示器
２５Ｂ  …  第２保留表示器
２５Ｃ  …  普図保留表示器
２６  …  通過ゲート
３１Ａ  …  スティックコントローラ
３１Ｂ  …  プッシュボタン
４０  …  研磨機構
４２  …  ベース
４６、４７  …  取付レバー
５０  …  通路部材
５２  …  移送部
５３  …  スクリュー部材
５４  …  駆動源
５５Ａ〜５５Ｃ  …  ギヤ
６０  …  研磨カセット
６３  …  押え板
６５  …  巻取部
６６Ａ、６６Ｂ  …  ローラ
６７Ａ、６７Ｂ  …  回転軸
６８  …  歯車部材
６９  …  止軸
７０、７３  …  カバー部材
７１、７４  …  板状部
７２、７５  …  爪状部
７７  …  巻取駆動部
７８  …  駆動源
７９Ａ〜７９Ｃ  …  ギヤ
【図１】
2018164798.tif 000003
【図２】
2018164798.tif 000004
【図３】
2018164798.tif 000005
【図４】
2018164798.tif 000006
【図５】
2018164798.tif 000007
【図６】
2018164798.tif 000008
【図７】
2018164798.tif 000009
【図８】
2018164798.tif 000010
【図９】
2018164798.tif 000011
【図１０】
2018164798.tif 000012
【図１１】
2018164798.tif 000013
【図１２】
2018164798.tif 000014
【図１３】
2018164798.tif 000015
【図１４】
2018164798.tif 000016